(57)【要約】  本発明は、軸方向に見たときに円形又は実質的に環状であるメインボディ（２０）を具備し、タイヤ（１４）がパンクしたときでも動作を可能にする車両ホイール（１２）用のアタッチメント（１０）に関し、前記アタッチメント（１０）は、アタッチメント（１０）を車両ホイール（１２）のリム（２６）に位置決めするための位置決め装置（２２）と、アタッチメント（１０）を車両ホイール（１２）のリムに固定するための固定装置（２４）とを有し、固定装置は、位置決め装置（２２）とは独立して作動するように構成されている。【選択図】図１３
2020507510.tif 000002
【特許請求の範囲】
【請求項１】
軸方向（４８）に見たときに円形またはほぼ環状であるベースボディ（２０）を有し、パンクしたタイヤ（１４）での運転操作を可能にする車両ホイール（１２）用のアタッチメント（１０）であって、
前記アタッチメント（１０）は、前記アタッチメント（１０）を前記車両ホイール（１２）のリム（２６）に位置決めするための位置決め装置（２２）と、前記車両ホイール（１２）の前記リム（２６）に前記アタッチメント（１０）を固定するための、前記位置決め装置（２２）とは独立して作動させるのに適した固定装置（２４）とを有することを特徴とする、車両ホイール（１２）用のアタッチメント（１０）。
【請求項２】
前記位置決め装置（２２）は、好ましくは前記ベースボディ（２０）上に円周方向（３０）に均一に分布する少なくとも２つの接触要素（３２）を具備し、
前記接触要素の各々は、標準化されたリムフランジ直径を備えた対応するリム（２６）の中心に前記アタッチメント（１０）を配置するために、リムフランジ（１３）の標準化されたリムフランジ直径に対応する、少なくとも1つの指定された固定位置（ＦＰ１、ＦＰ２、ＦＰ２）、好ましくは複数の指定された固定位置（ＦＰ１、ＦＰ２、ＦＰ３）に固定するのに適していることを特徴とする、請求項１に記載のアタッチメント（１０）。
【請求項３】
前記固定装置（２４）は、前記リム（２６）、好ましくはリムフランジ（１３）に前記固定装置（２４）をクランプしたことを検出するよう構成された少なくとも１つの圧力測定装置（４０）を具備することを特徴とする、請求項１又は請求項２に記載のアタッチメント（１０）。
【請求項４】
前記固定装置（２４）は、少なくとも１つの取り外し可能な固定手段（３８）、好ましくは複数の取り外し可能な固定手段、及び／又は少なくとも１つの固定手段（３８）、好ましくは複数の固定手段を具備し、これらを、半径方向に移動可能、特に変位可能に取り付けるか又は取り付けることができることを特徴とする、請求項１に記載の車両ホイール（１２）のアタッチメント（１０）。
【請求項５】
前記固定装置（２４）は、動作時、好ましくはクランプする際に、半径方向（３４）及び／又は軸方向（４８）に、前記固定装置（２８）の少なくとも２つの可動固定手段（３８）の動き、好ましくはすべての可動固定手段の動きを連結する連結機構（９０）を具備し、前記連結機構（９０）は連結された前記可動固定手段（３８）の動きが均一になるよう構成されていることを特徴とする、請求項４に記載の車両ホイール（１２）のアタッチメント（１０）。
【請求項６】
前記連結機構（９０）は、円周方向（３０）に回転させることにより、好ましくはねじ山（９６）を介して、軸方向（４８）に動くことが可能なクランプリング（９２）を具備し、前記固定装置（２４）は、前記クランプリング（９２）が軸方向（４８）に動くことにより作動することができ、好ましくは前記固定手段（３８）は、前記クランプリング（９２）の軸方向（４８）への動きにより半径方向内側に旋回することを特徴とする、請求項５に記載の車両ホイール（１２）のアタッチメント（１０）。
【請求項７】
連結機構（９０）は、少なくとも２つの固定手段（３８）を結合し、又は少なくとも２つの固定手段（３８）を結合することができるクランプ要素（１０６）を具備し、前記クランプ要素（１０６）は、半径方向（３４）に縮小又は増大することができるように構成され、前記固定装置（２４）は、前記クランプ要素（１０６）が縮小又は増大することにより作動することができることを特徴とする、請求項１乃至請求項６のいずれか１項に記載の車両ホイール（１２）のアタッチメント（１０）。
【請求項８】
前記固定装置（２４）及び／又は前記位置決め装置（２２）は、空気圧又は油圧で作動可能であり、好ましくは前記固定装置（２４）及び／又は前記位置決め装置（２２）は、圧力媒体源（１１８）又は、圧力媒体源（１１８）に接続することができる接続部（１２８）を具備することを特徴とする、請求項１乃至請求項７のいずれか１項に記載の車両ホイール（１２）のアタッチメント（１０）。
【請求項９】
前記固定装置（２４）は、前記アタッチメント（１０）が前記車両ホイール（１２）に固定されるとき、固定手段（３８）に設けられた接触部を介して、円周方向の長さの少なくとも６分の１、好ましくは４分の１、好ましくは３分の１、好ましくは半分にわたって、前記リム（２６）、特にリムフランジ（１３）に接触するように構成されていることを特徴とする、請求項１乃至請求項８のいずれか１項に記載の車両ホイール（１２）のアタッチメント（１０）。
【請求項１０】
前記固定装置（２４）、好ましくは固定手段（３８）は、前記アタッチメント（１０）が前記車両ホイール（１２）の前記リム（２６）に固定されクランプされたとき、前記アタッチメント（１０）が前記リム（２６）に向かって軸方向（４８）に付勢されるように構成されていることを特徴とする、請求項１乃至請求項９のいずれか１項に記載の車両ホイール（１２）のアタッチメント（１０）。
【請求項１１】
前記固定装置（２４）は、軸方向（４８）に見たときに、半径方向内側に、好ましくは線形又は弓状に傾斜するクランプ面を具備し、前記固定装置（２４）は、前記クランプ面が、前記アタッチメント（１０）を前記リム（２６）に固定しクランプしたとき、半径方向内側に移動、特に、変位するように構成され、前記クランプ面は、前記アタッチメント（１０）が前記車両ホイール（１２）の前記リム（２６）に固定されクランプされたとき、前記アタッチメント（１０）が前記リム（２６）に向かって軸方向（４８）に付勢されるように構成されていることを特徴とする、請求項１乃至請求項１０のいずれか１項に記載の車両ホイール（１２）のアタッチメント（１０）。
【請求項１２】
ベースボディ（２０）がリム側部分（７０）と、前記リムの外側を向き前記リム側部分から取り外し可能な部分（７２）と、を具備することを特徴とする、請求項１乃至請求項１１のいずれか１項に記載の車両ホイール（１２）のアタッチメント（１０）。
【請求項１３】
ベースボディ（２０）、又は任意的にリム側部分（７０）及び前記リムの外側を向く部分（７２）の各々は、少なくとも２つの円周セグメント（５０）を具備することを特徴とする、請求項１乃至請求項１２のいずれか１項に記載の車両ホイール（１２）のアタッチメント（１０）。
【請求項１４】
前記円周セグメント（５０）が、好ましくは取り外し可能に、特に好ましくは折り畳み機構（５４）又は嵌合構造（５８）を介して互いに円周方向（３０）に結合され、ここで、嵌合構造（５８）は好ましくは前記セグメントの１つにダブテール形状の延長部（６０）と前記セグメント（５０）に対応する凹部（６２）とを具備することを特徴とする、請求項１３に記載の車両ホイール（１２）のアタッチメント（１０）。
【請求項１５】
前記リム側部分（７０）及び前記リムの外側を向く前記部分（７２）、又は前記リム側部分（７０）及び前記リムの外側を向く前記部分（７２）の１つのセグメント（５０）は、組み立てられた状態では、トレッドボディ（１８）又はトレッドボディ（１８）の１つのセグメントが嵌合により、特に、嵌合により噛み合った状態で保持されるように、挿入することができる受け入れ部分（７６）を前記組み立てられた状態に形成することを特徴とする、請求項１２乃至請求項１４のいずれか１項に記載の車両ホイール（１２）のアタッチメント（１０）。
【請求項１６】
車両ホイール（１２）の緊急運転を可能にする装置（２００）であって、前記装置（２００）は、車両側の車両ホイール（１２）に取り付けられるように構成された第１の支持要素（２１０）と、車両の反対側を向く外側（２３０）で車両ホイール（１２）に取り付けられるように構成された第２の支持要素（２２０）とを具備し、前記支持要素（２１０、２２０）は、前記車両ホイール（１２）上の所望の取り付け位置で、タイヤ（１４）の走行面（２４０）が半径方向外向きに付勢されるようにして、前記車両ホイール（１２）の前記タイヤ（１４）の側壁に横方向に圧力をかけるように構成されていることを特徴とする、装置（２００）。
【請求項１７】
前記第１の支持要素（２１０）及び前記第２の支持要素（２２０）はそれぞれ、前記支持要素（２１０、２２０）を前記車両ホイール（１２）のリム（２６）に固定するためのクランプアーム（２１２、２２２）を有し、前記クランプアーム（２１２、２２２）は、タイヤビード（２５０）をリムウェル（２６０）から持ち上げるように、前記タイヤ（１４）のタイヤビード（２５０）と前記リム（２６）の前記リムウェル（２６０）との間に前記クランプアーム（２１２、２２２）が嵌る所望の位置に来るよう、構成され配置されることを特徴とする、請求項１６に記載の装置（２００）。
【請求項１８】
固定機構（２８０）によって前記装置（２００）を車両ホイール（１２）に固定する際に、前記第１の支持要素（２１０）及び 前記第２の支持要素２２０を、前記リム（２６）に接触するまで前記リム（２６）に向かって動かすことにより、前記第１の支持要素（２１０）及び 前記第２の支持要素２２０を、前記リム（２６）にクランプすることができるように構成された固定機構２８０を具備することを特徴とする、請求項１７に記載の装置（２００）。
【請求項１９】
欠陥のある車両ホイール（１２）の代わりにホイールハブのボルトサークルに固定することができ、軸方向（４８）に見たときに円形又はほぼ環状の形状であるベースボディ（３２０）を有する緊急ホイール（３００）であって、前記ベースボディ（３２０）は、少なくとも２つの円周セグメント（３５０）を具備することを特徴とする、緊急ホイール（３００）。
【請求項２０】
前記円周セグメント（３５０）が、好ましくは取り外し可能に、特に折り畳み機構（５４）又は嵌合構造を介して互いに円周方向（３０）に結合され、ここで、嵌合構造は好ましくは前記セグメントの１つにダブテール形状の延長部と前記セグメント（３５０）に対応する凹部とを具備することを特徴とする、請求項１９に記載の緊急ホイール（３００）。
【発明の詳細な説明】
【技術分野】
【０００１】
本発明は、パンクしたタイヤでの運転操作を可能にする車両ホイールのアタッチメントに関する。それとは独立して、本発明は、さらに、緊急車両ホイールと、車両ホイールの緊急運転特性を持つことを可能にする装置を提供する。
【０００２】
車両ホイールとは、自動車の車両ホイールを意味する。
【０００３】
この場合、軸方向とは、車両ホイールの回転軸の方向を意味する。半径方向とは、車両の車両ホイールの回転軸に直交する方向を意味する。したがって、車両ホイールのタイヤは、車両ホイールのリムから見たときに半径方向外側に配置される。たとえば、車両ホイールのボルトサークルは半径方向内側にある。
【発明の概要】
【０００４】
パンクしたタイヤでの運転操作を可能にする本発明による車両ホイール用のアタッチメントは、軸方向に見たときに円形又はほぼ環状の形状のベースボディで構成され、車両ホイールのリムにアタッチメントを固定するための、位置決め装置とは独立して作動させるのに適した、車両ホイールのリムにアタッチメントを位置決めするための位置決め装置と固定装置をこのアタッチメントが有することを特徴とする。互いに独立して作動させるのに適した位置決め装置及び固定装置を備えた本発明の構成によって、本発明によるアタッチメントは、タイヤがパンクした車両ホイールに非常に簡単かつ確実に取り付けることができる。
【０００５】
車両ホイールにアタッチメントを取り付けるには、まず、位置決め装置を介して、アタッチメントを車両ホイールの所望の位置に配置する。しかし、位置決め装置を介した位置決めは、確実な運転操作を保証するのには十分ではなく、車両の車両ホイールにアタッチメントを正しく配置する役割を果たすだけである。アタッチメントが位置決め装置を介して車両ホイールの所望の位置に配置されると、アタッチメントは固定装置を介して車両ホイールにしっかりと結合され、好ましくはクランプされる。位置決め装置は、アタッチメントが最終的に車両ホイールに固定された場合でも、車両ホイールのリムに対してクランプされていないことが好都合である。位置決め装置は、車両ホイール上のアタッチメントの中心に配置することを可能にするように構成され、固定装置は位置決め装置とは独立して作動するようになっていて、固定装置を作動させることにより、アタッチメントをしっかりと車両ホイールに固定、好ましくは、クランプすることができる。
【０００６】
固定装置の固定手段は、アタッチメントにねじ止めされるプレハブ部品として構成されることが好ましい。
【０００７】
好ましくは、アタッチメントは、リムフランジの背後に係合したときに、固定手段、特に旋回可能に取り付けられた固定手段のフック要素をロックするように構成及び配置されたロック機構を具備し、このロック機構は付勢された、特にばねにより付勢されたキャッチ要素であることが好ましい。ロック機構が固定手段をロックするとき、キャッチ要素がフック要素にロックするように係合するか、又はフック要素がキャッチ要素にロックするように係合することが好ましい。したがって、リムへのアタッチメントの固定は特に堅固となる。特に、キャッチ要素は、特に、ばねを介して付勢されるボルトの形態とすることができ、旋回可能に取り付けられたフック要素は、例えば、フック要素がリムとの係合位置に旋回していったとき、ばねにより付勢されたボルトがフックに係合してロックするための凹部を有することができる。そのために、係合位置において、キャッチ要素がこの凹部に入ることができるように、凹部がキャッチ要素上で旋回するように配置されることが好都合である。
【０００８】
固定手段は、特にケーシングを備え、プレハブ部品の形態であることが好ましく、ロック機構もケーシング内に配置されることが好ましい。したがって、ロック機構及び固定手段は、いずれの場合も部分的に、これらの構成要素のための一種のハウジングを形成するケーシング内に配置することができる。ケーシング又はハウジングはその中に配置された構成要素とともに個別に組み立てることができ、その後、完成した事前に組み立てられたユニットをプレハブ部品としてアタッチメントに取り付けることができるか、又は取り付けることが好ましい。
【０００９】
位置決め装置は、例えば、特に車両ホイールのリムフランジの領域で、例えばリムフランジにアタッチメントをクリップで留めることができる、旋回可能なばね付勢の爪型接触要素を有することができる。しかしながら、同様に、接触要素及び位置決め装置は他の形態も考えられる。位置決め装置の接触要素は、固定装置の固定手段内又は固定手段上に配置することもできる。
【００１０】
位置決め装置は、把持装置の形態とすることができ、例えば、ボルトサークルの領域に配置されたリムの好ましくは円形の開口部と、把持装置の嵌合による係合及び／又は摩擦に基づく係合を介して車両ホイールに位置決めされるように構成され、開口部は、ホイールボルト又はスタッドボルトを受け入れるためにリムに設けられた穴から間隔を隔ててリムに配置され、好ましくは、開口部はリムの中央開口部か又はリムの回転軸から離れている。好ましくは、把持装置の一部は、いずれの場合でも、アタッチメントに、好ましくは最初の取り付け部分に取り外し不可能に結合されるが、これについては以下で詳細に説明する。したがって、アタッチメント又は最初の取り付け部分は、特に簡単に車両のホイールに固定できる。特に、ボルトサークルの領域の開口部がいわゆるポリコントロールボアである場合が好都合である。対応する形状のアタッチメントのアタッチメント又は最初の取り付け部分は、これらの開口部にそのまま挿入できる。
【００１１】
把持装置は、例えば、直径を拡張させることができるピン状要素を具備することができる。このピン状要素は、特に、完全に挿入された状態で、ポリコントロールボアの内部で終わるように、つまりポリコントロールボアを完全に貫通しないように構成することができる。
【００１２】
好ましくは、把持装置は、ボルトサークルの領域の開口部の背後に係合するように構成されることが好ましい拡張可能部分を具備し、及び／又は把持装置は、圧縮された状態でボルトの領域の開口部を通して案内され、開口部を通り抜けたとき非圧縮状態にまで拡張するように構成される圧縮可能部分を具備する。拡張可能部分は、例えば、展開要素の導入により展開可能なスリーブとすることができる。そのような把持装置は、アタッチメントの半径方向内側の領域に配置されることが好都合である。
【００１３】
次いで、展開可能なスリーブの形態の把持装置は、例えば、アタッチメントの特に最初の取り付け部分の取り付け時に、ポリコントロールボアに導入することができ、次いで展開要素を、ポリコントロールボアの背後にかみ合うように、展開するために展開可能なスリーブに導入することができる。上述のように、把持装置が圧縮可能部分を具備することも考えられる。圧縮可能部分は、ポリコントロールボアへの導入時に圧縮され、ポリコントロールボアを介して案内されたときに独立して拡張し、その背後で係合する。今説明した変形例では、アタッチメントの取り付け、特に最初の取り付け部分の簡単な取り付けを可能にする。アタッチメントの取り付けが容易になる。
【００１４】
「ボルトサークルの領域に配置」とは、どの場合でも、開口部がリムのスポーク同士の間のギャップとは別であることを意味する。そのような開口部は、特に、いわゆるポリコントロールボアの場合がある。
【００１５】
把持装置は、特に、リムの中央開口部に係合するように構成されている場合、例えば、スロット付きスリーブの形にすることができる。スロット付きスリーブの内側には、半径方向に変化する要素、特に、スロット付きスリーブに対して軸方向に移動可能な円錐状要素を配置することができる。この要素の軸方向の動きにより、スロット付きスリーブを広げることができ、その結果、開口部又は中央開口部に摩擦に基づいた方法で係合する。この要素は、例えばねじを介して、広げられたスリーブについて軸方向に移動可能とすることができる。ここで、スロット付きスリーブは、複数の展開可能なアームを意味する場合もある。
【００１６】
任意選択で、把持装置は、アタッチメントの一部、特に最初の取り付け部分の一部として構成される。言い換えれば、把持装置は、最初の取り付け部分に取り外し不可能に接続することができる。
【００１７】
把持装置は、フック領域を含むことができる延長部、特にロッド状延長部の形態とすることができ、この延長部は開口部に導入されるように構成される。このフック領域は、例えば、開口部を通るよう導かれたときに、リムの背後で嵌合させて係合できるように、拡張可能又は展開可能に構成することができる。
【００１８】
このフック領域は、圧縮可能に構成することもできる。フック領域は、開口部を通るよう導かれると直径が小さくなり、開口部を通るよう導かれたあと独立して拡張するため、リムの背後でほぼ自動的に係合できる。そのために、フック領域は、例えば、可逆的に圧縮可能な、弾力性のある、及び／又はばね取り付け方式で構成することができる。
【００１９】
１つの実施形態では、把持装置は、ボルトサークルの領域の開口部の背後に係合するように構成された拡張可能部分を備える。そのような拡張可能部分は、例えば、広げることができるように構成されたフック領域によって形成することができる。例えば、把持装置は、展開要素を例えばねじ等で締め付けることにより、互いから離れるように移動することができ、そして広げることができる２つのフックアームを備えることができる。
【００２０】
把持装置は、特に中空ピンのように構成することもでき、内部に軸方向に移動することによって拡張可能部分を広げる展開要素、特に拡張ピンを内部に備えることができる。複数の把持装置は、好ましくは、アタッチメント、特に最初の取り付け部分に配置される。把持装置が、例えば、先に説明したような中空ピンのように構成されている場合、拡張ピン又は展開要素が存在することがあり、これらを結合することができる。好ましくは、これらは、付加的に、拡張可能部分を広げるために、例えば、ねじ形式の作動ユニットによって、軸方向に合同で動くことができるようにすることができる。
【００２１】
アタッチメントは、好ましくは、アタッチメントが走行面又はアタッチメントのトレッドボディを具備するトレッド部を有するように構成され、アタッチメントは最初の取り付け部分を具備し、このトレッド部の少なくとも一部は、トレッド部とは別個にかつ取り外し可能に構成される最初の取り付け部分に接続可能であるか、又は最初の取り付け部分に対して移動可能に構成され、この最初の取り付け部分は、アタッチメントが車両のホイールに固定されたときに走行面の半径方向内側に配置される。
【００２２】
アタッチメントは、最初の取り付け部分及びトレッド部分、すなわちアタッチメントの走行面を具備するアタッチメント部が、互いに別々にかつ完全に取り外し可能に構成されるように構成されることが好ましい。一方、トレッド部は、互いに取り外し可能であり、円形の走行面を形成するように組み立てることができる少なくとも２つの円周セグメントを具備することが好ましい。
【００２３】
固定装置は、リムのリムフランジの背後に係合するように構成されることが好都合である。そのために、固定装置は、リムのリムフランジの背後に係合するように構成された少なくとも１つの固定手段、好ましくは複数の固定手段を有することが好都合である。
【００２４】
しかしながら、固定手段は、ベース本体の対応する開口部を通ってリム上の対応するネジ受けに係合することができるねじの形態とすることもできる。この場合、これらのねじを締め付けることは、固定装置を動かすことになる。
【００２５】
位置決め装置の使用後、位置決め装置によって達成可能な「緩い状態」で車両ホイールにアタッチメントが配置されると、固定装置を介して車両ホイールへの最終的な固定が行われる。そのために、固定装置は、例えば、リムの背後、特にリムフランジの領域で係合するように構成された爪タイプ又はチャックタイプの固定手段を具備することができる。次いで、これらの固定手段を作動させて、アタッチメントを車両ホイールにしっかりと固定、好ましくはクランプすることができる。
【００２６】
車両ホイールへのアタッチメントの固定は、固定装置の作動時にアタッチメントがリムに向かって軸方向に移動するように行われることが好ましい。したがって、固定装置の作動時に、アタッチメントはある程度リムに向かって付勢される。したがって、固定装置を介した固定は、半径方向のクランプだけでなく、リムに向かう軸方向のアタッチメントの変位も伴うことが好都合である。アタッチメントは、軸方向に見て、リムに向かってある程度圧力をかける。アタッチメントの固定におけるこの任意的かつ好都合な態様については、以下で詳細に説明する。
【００２７】
アタッチメントの表面は、リムとの接触のために設けられた領域に、例えばゴムコーティングによって形成された弾力性のある表面を有することが好都合である。
【００２８】
ベースボディは、鋼鉄を使用して製造されることが好ましい。ただし、他の素材も、同様に、考慮することができる。ベースボディの形状（軸方向に見たとき、ベースボディは円形又はほぼ環状の形状）に関する記述は、アタッチメントが運転操作を目的とした構成で車両のホイールに取り付けられたときの状態に関するものである。例えば、ベースボディは、それぞれがもはや円形又は環状ではない複数の個々の部品を含むことができ、ベースボディはこれらの個々の部品に分解することができ、及び／又はこれらの個々の部品は互いに旋回可能に接続することができる。これについては、以下で詳しく説明する。
【００２９】
本発明によるアタッチメントは、スペアホイールのコンパクトな代替物を表す。
【００３０】
位置決め装置は、標準化されたリムフランジの直径を持つ対応するリムの中央にアタッチメントを配置するために、好ましくはベースボディ上の円周方向に均等に分配され、それぞれ少なくとも１つの特定の固定位置、好ましくは標準化されたリムフランジの直径に対応する複数の特定の固定位置に固定することができる、少なくとも２つの接触要素を具備することが好ましい。
【００３１】
例えば、位置決め装置は、１８、１９及び２０インチ（４５．７、４８．３、及び５０．８センチメートル）のリムの標準化されたリムフランジ径でのそれぞれの固定位置間で変位可能な少なくとも２つの接触要素を具備することができる。位置決め装置の接触要素は、対応するリムフランジ径に関連付けられた固定位置のそれぞれでロックできるため、アタッチメントは、対応する径のリムに簡単な方法で取り付け又はクリップすることができる。
【００３２】
例えば、接触要素は、個々の固定位置に移動可能とするために、半径方向に変位可能であり、固定位置に対応するロッキングスロットに円周方向に押し込むことができる。コンタクトエレメントがロッキングスロットに押し込まれると、変位に抗して半径方向に固定される。しかし、アタッチメントを車両のホイールに簡単に取り付けたりクリップしたりできるようにするために、接触要素は、それぞれのロッキングスロットに押し込まれた状態で半径方向に旋回可能にすることができる。
【００３３】
接触要素が半径方向内側にばねで付勢されている場合、車両ホイールのリムをほぼ単独にグリップし、ばねの力でリムに対してアタッチメントを中心に持ってゆくことができれば好都合である。
【００３４】
固定装置が、リム、好ましくはリムフランジに固定装置をクランプしたことを検出するように構成された少なくとも１つの圧力測定装置を具備することが好ましい。例えば、固定装置は、固定装置がアタッチメントをリムにクランプする圧力を測定することができる圧力センサーを具備することができる。
【００３５】
固定装置は、圧力センサーを有する固定手段を具備することができる。そのような圧力センサーは、それぞれの固定手段がリム又はリムフランジに加える圧力を検出するように構成される。圧力センサー又は圧力センサーの信号により、固定装置をリムにクランプする力を測定することができる。
【００３６】
好ましい実施形態では、アタッチメントは、圧力測定装置に加えて、リムに対するアタッチメントのクランプが十分であるときに信号を送信するように構成され及び適応させた信号装置も具備する。信号装置は、十分なクランピングにより又は十分堅固にアタッチメントがリムに固定されたときに信号を送信するように構成されている。
【００３７】
信号装置は、付加的又は代替的に、位置決め装置を介してアタッチメントが正しく又は誤って位置決めされたときに信号を送信するように適応させ及び構成することもできる。
【００３８】
固定装置が、少なくとも１つの取り外し可能な固定手段、任意的に複数の取り外し可能な固定手段、及び／又は少なくとも１つの固定手段、任意的に複数の固定手段を具備し、これらが、半径方向に移動可能、特に変位可能に取り付けるか又は取り付けることができることが好ましい。固定手段は、位置決め装置の接触要素の異なる固定位置に関連付けられた異なる位置で、すなわち異なるリムの直径に適応することができる位置で、例えば保持ラグを用いて、アタッチメントに取り外し可能に取り付けることができる。固定手段の滑らかで変位可能な取り付けも考えられ、固定手段は、特定の位置にロックでき、リムに対してそれらの位置で別々にクランプできることが好ましい。例えば、固定手段は、ガイドに沿って手動で変位可能であり、したがって、リムの直径となるように大まかに調整可能とすることができる。それにより、固定手段を指定された位置にロックすることができることが好ましい。このようなロック状態において、対応するツール、たとえば六角ソケットを使用して、又はツールを使用せずに、たとえば半径方向に短くピボット又は変位させることにより、固定手段をリムに短い距離でクランプすることができる。
【００３９】
固定装置が、半径方向及び／又は軸方向に固定装置をクランプする際に、少なくとも２つの可動固定手段、好ましくは複数の、とりわけすべての、可動固定手段の動きを連結する連結機構を備えることも好ましく、連結機構は、連結された可動固定手段の動きが均一及び／又は同じ方向になるように構成されることが好ましい。そのために、例えば、複数の固定手段は、クランプリングを介して内側にクランプすることができる。クランプリングは、例えば、縮小可能な直径を有することができ、クランプリングは、クランプリングの直径が縮小すると、連結された固定手段が半径方向内側に旋回可能であり、リムに対してクランプできるように配置し構成される。
【００４０】
あるいは、クランプリングは、円周方向に回転可能に構成することができる。クランプリングの回転により、例えばねじに沿って軸方向に移動可能となる。リムに向けられたそのようなクランプリングの動きの場合、固定手段は、例えば、リムに向かって軸方向に動くとき、クランプリングが固定手段の傾斜面に接触できるように構成し配置することができ、それにより、固定手段を、半径方向内側に旋回可能及び／又は変位可能とすることができる。したがって、このようなクランプリングを円周方向に回転させることにより、固定装置を作動させることができる。固定装置の固定手段は、この作動中に、例えば半径方向内側に旋回することにより、リムに同時にかつ均一にクランプされる。
【００４１】
連結機構が、少なくとも２つの固定手段を一緒に結合するか、少なくとも２つの固定手段を一緒に結合することができるクランプ要素を含む場合も好ましく、ここで、クランプ要素は、半径方向を短くすることができるように構成される。例えば、そのようなクランプ要素は、棒状又は十字状の形とすることもできる。クランプ要素は、２つの端部により、固定装置の２つの対向する固定手段に結合、例えば引っ掛けることができる場合がある。
【００４２】
クランプ要素は、例えば、対向するねじ山を備えた中間部分を有することができる。固定手段に固定できる端部は、対向するねじ山にねじ込むことができる。端部に相対的に中間部を回転させることにより、端部は中間部にねじで入り込むか、中間部から外れてゆき、これにより、クランプ要素は半径方向に増大又は縮小される。固定手段は、締付要素の縮小により互いに相手方向に移動可能とすることができ、それにより、固定装置の作動又は固定手段のリムへのクランプを行うことができる。固定手段はまた、クランプ要素を長くすることにより半径方向内側に旋回可能とすることができ、それにより、リムに対する固定装置の作動又は固定手段のクランプを行うことができる。
【００４３】
固定手段が、ベースボディ、例えば、保持ラグ又は固定手段を固定するための他のデバイスに、ばねで取り付けられるか、取り付け可能である場合も好都合である。同様に、又は代替的に、固定手段を固定するための保持ラグ又は他のデバイスは、ベースボディにばねで取り付けることができる。
【００４４】
連結機構を製造するために、個々の固定手段が、例えば、一種の剛性張力ベルトシステムを介して互いに結合させることも考えられ、それにより、張力ベルトの円周方向の長さを短くすることができる。
【００４５】
また、例えば、固定装置の空気圧又は油圧作動による連結機構も考えられる。例えば、固定手段は圧力を受け、それにより共通線を介して作動可能である。
【００４６】
有利な変形例では、固定装置と位置決め装置の両方が、例えばそれぞれの作動装置を介して空気圧又は油圧で作動可能である。好ましくは、固定装置及び位置決め装置は、そのために、対応する接続部を介して圧力媒体源に接続されるか、又は圧力媒体源を有することができる。圧力媒体源は、例えば、車両内又は車両上に配置されたタイヤ又はコンプレッサー又は別の蓄圧器又は圧力発生器であってもよい。
【００４７】
固定手段は、例えば、上述の連結機構を作るために、ある種の歯車システムを介して互いに接続することもできる。
【００４８】
一般に、すなわち、連結機構のすべての実施形態において、個々の固定手段の半径方向の動きが連結機構を介して連結されるだけでなく、代替的に又は付加的に、固定手段の軸方向の動きも、例えば上述の方法のいずれかで、連結機構を介して連結されることが好ましい。
【００４９】
固定装置、好ましくは固定手段の少なくとも１つ、好ましくは複数、とりわけすべての固定手段が、車両ホイールのリムの、特にリムフランジの背後に係合するように構成されたフック部を具備することも好都合である。そのようなフック部を介して、アタッチメントを車両ホイールのリムにしっかりと取り付けることができることが好都合である。フック部とは、リムの部分、好ましくはリムのリムフランジの背後で嵌合させて係合できるように構成された部分を意味する。好ましい実施形態では、周囲に分布する複数の固定手段上にあることが好ましい固定装置が、周囲に分布する複数のこのようなフック部を有し、それぞれがリムのリムフランジの背後で嵌合させて係合できることを特徴とする。
【００５０】
固定装置が、好ましくはフック部に配置される接触部を具備することも好都合であり、接触部は、特にリムフランジのリム部分への損傷を防止するために、例えばコーティングによって形成される弾力性のある弾性表面を含む。接触部は、アタッチメントが車両ホイール又は車両ホイールのリムに意図した通りに取り付けられたときに、リム、特にリムフランジに接触する固定装置の部分を意味する。例えば、ゴムコーティングによって実現できる、説明したような弾力性のある弾性コーティング又は弾力性のある弾性表面によって、リム又はリムフランジの損傷が確実に回避される。
【００５１】
接触部分、特にフック部が、リムフランジに合致するように円周方向に湾曲していれば好都合である。そのために、例えば、固定装置のフック部又は接触部は、リムフランジの円周曲線に従って、円周方向に細長く、湾曲させることができる。特に弾力性のある弾性コーティングが存在する場合、接触部分の曲線は、実質的にリムの曲線に一致させるだけでよい。
【００５２】
固定装置が、アタッチメントが車両ホイールに取り付けられたときに、その円周方向の長さの少なくとも６分の１、好ましくは４分の１、好ましくは３分の１、好ましくは半分にわたって、リム、特にリムフランジに接触するように構成されていれば好都合である。これは、例えば、上述のフック部又は接触部が円周方向に湾曲している結果として可能である。例えば、この実施形態では、接触部及び／又はフック部は、その円周方向の長さの６分の１にわたってリムフランジに載せることができる。
【００５３】
固定装置、好ましくは接触部、好ましくは固定手段、とりわけそのフック部が、車両ホイールのリムへの固定時に軸方向にリムに向かって付勢されるように構成されていれば好都合である。したがって、アタッチメントは、車両ホイールに固定すると、リムの方向に引っ張られる。これは、例えば、固定手段に軸方向への可動性を持たせることにより達成することができる。例えば、固定手段の半径方向内向きの動きを、軸方向の動きと強制的に連結させることができる。
【００５４】
固定装置、特に接触部又はフック部が、軸方向に見たときに、半径方向内側に、好ましくは線形又は弓状に傾斜するクランプ面を具備していれば好都合であり、固定装置は、車両ホイールのリムへのアタッチメントの固定時にクランプ面が移動、特に半径方向内側に変位するように構成され、クランプ面は、車両ホイールのリムへの固定時にアタッチメントが軸方向にリムに向かって付勢されるように構成される。上述のように構成されたクランプ面によって、例えば固定手段の動きに伴うクランプ面の動きにより、同時に半径方向内側に動き、車両ホイールのリムの方向にアタッチメントを動かす。したがって、このような形態では、固定時にアタッチメントが車両ホイールに向かって付勢され、確実にしっかりと強固に保持される。
【００５５】
ベースボディが、リム側部分と、リム側部分から取り外し可能なリムの外側を向く部分とを具備していれば好都合である。これにより、例えば、軸方向に直交する平面に沿って、ベースボディを上記の２つの部分に分離することができる。したがって、一方では、アタッチメントをより自由に扱うことができ、他方では、アタッチメントの取り付けの観点から好都合となる。
【００５６】
また、ベースボディ、又は任意的に、リム側部分およびリムの外側を向く部分のそれぞれが、少なくとも２つの円周部を具備していれば好都合である。したがって、この実施形態では、ベースボディ、又はそれぞれの部品は、円周方向に個々のセグメントに分割される。これにより、アタッチメントの取り付けと取り扱いが改善される。
【００５７】
円周セグメント同士が、特に、好ましくは取り外し可能な折り畳み機構又は嵌合構造を介して、好ましくは取り外し可能に円周方向に結合されれば好都合である。例えば、折り畳み機構を介して、アタッチメントが必要でない場合は、折り畳んで保管することができる。個々のセグメントが互いに分離できるように構成されている場合、アタッチメントを個々の部品に分解し、スペースを節約して保管できる。互いに取り外し可能に接続できるセグメントを備えた実施形態の変形例では、最初に個々のセグメントを一緒に結合し、次にそれらの結合されたセグメントを車両ホイールに取り付ける可能性がもたらされる。これらの結合されたセグメントを取り付けた後、車両ホイールを回して、車両ホイールへの取り付けを完了するために、１つの又は複数のさらなるセグメントを挿入又は枢着することができる。したがって、例えば、車両ホイールを車両から取り外すことなく、アタッチメントを取り付けることが可能となる。
【００５８】
好ましい実施形態では、円周セグメントはそれぞれ、隣接する円周セグメントの対応する受け部に押し込むことができる拡張可能な要素を有し、それにより２つの円周セグメントは互いに確実に結合することができる。
【００５９】
また、リム側部分及びリムから離れた部分、又はリム側部分及びリムの外側を向く部分のそれぞれのセグメントが、組み立てられた状態とするために、トレッドボディ、又はトレッドボディのセグメントに、組み立てるための受け入れ部分を形成し、嵌合させた状態で、具体的には嵌合により噛み合った状態で保持されるように、挿入することができれば好都合である。トレッドボディとは、アタッチメントの走行面、つまり道路との接触面を形成するように構成された要素を意味する。
【００６０】
好ましくは、トレッドボディは、弾性ゴム材料又はポリマー材料で形成される。トレッドボディの嵌合させた状態での保持、又は嵌合させた状態での係合は、２つの部品の間に形成されたダブテール形状の溝によって実現でき、トレッドボディは、チャンネル内で嵌合させた状態で溝に受け入れるような、この溝に対応し共に補い合う部分を有する。そのようなチャネルは、受け入れ部分の１つの形態である。
【００６１】
トレッドボディが衝撃吸収形状であれば好都合であり、好ましくは、トレッドボディが弾力性のある弾性材料で形成され、及び／又は弾力性のある弾性構造、具体的には複数のボイド及び／又は穴を具備する構造を有することが好ましい。したがって、トレッドボディは、走行面の凹凸を緩和することができる。ただし、タイヤに似た空気入りトレッドボディも考えられる。トレッドボディの弾性減衰特性をもたらす、実質的に軸方向に動く開口部を有するポリマー材料のトレッドボディが考えられる。しかしながら、この目的で、トレッドボディに弾性特性をもたらすような他の構造、特にトレッドボディ内で、閉じたり開いたりできる複数のボイドも考えられる。
【００６２】
トレッドボディは、例えば、別個のバルブ又はアタッチメントに存在する別個の供給ラインを介して、それぞれに圧縮空気又は圧力媒体を個別に送り込むことができるできるボイドを具備することができる。ボイドに圧力媒体を送り込むことにより、トレッドボディのクッション性は、必要に応じて、又は所望のクッション性に応じて個別に調整することができる。
【００６３】
ベースボディに開口部があれば好都合である。これらの開口部は、一方ではベースボディの重量を軽減するのに役立ち、したがってアタッチメントの重量を軽減するのに役立つ。他方、これらの開口部は、アタッチメントを容易に折り畳むこと又は押しつぶすことを可能にするために役立たせることができる。折り畳まれた状態又は押しつぶした状態では、例えば固定装置又は固定装置の一部などの、ベースボディの表面から突き出た少なくとも１つの要素が、このような開口部の中に入ることができることが好ましい。
【００６４】
トレッドボディは、ベースボディの少なくとも軸方向の範囲に対応するが、具体的にはその範囲を超える軸方向の範囲を有するような構成とすることができれば好都合である。換言すれば、トレッドボディは、軸方向に見たとき、ベースボディよりも厚いか、又は少なくともベースボディと同じ厚さとすることができる。
【００６５】
また、アタッチメントが車両ホイールのリムに固定されているときに、アタッチメントの半径方向外側の走行面が、車両ホイールの方向に、軸方向に見たときにリムの口内に延びると好都合である。さらに、アタッチメント又はその半径方向外側の走行面が、軸方向に見たときに車両ホイールの方向にリムの中央まで延びていると好都合である。したがって、これらの実施形態では、アタッチメントの走行面がタイヤを部分的に覆う。例えば、アタッチメントはスノーチェーンの代替品として機能する。相応して広い走行面を備えたこのような形状のアタッチメントは、多数のカーブを走行するときのグリップ力も向上させる。
【００６６】
また、アタッチメントが、特に、リム及び／又はリムのスポークのボルトサークル及び／又は中央開口部で、アタッチメントをボルトサークルの領域のリムに固定するように構成された付加的な固定要素を具備すれば好都合である。そのような付加的な固定要素は、例えば、ボルトサークルに向かって広がるアーム状の形状とすることができる。これにより、アタッチメントを固定することの確実性が向上する。
【００６７】
付加的な固定要素がアタッチメントに取り外し可能又は取り外し不可能に固定されると好都合であり、付加的な固定要素の固定は、付加的な固定要素がアタッチメントに対して移動可能、好ましくは、変位可能及び／又は旋回可能なものであることが好ましい。取り外し可能な付加的な固定要素の場合、付加的な固定要素は、例えば組み立て開始時に取り付けることができ、その後、固定装置をしっかりとクランプして、付加的な固定要素を取り外すことができる。変位可能な付加的な固定要素の場合、例えば、突き出してアタッチメントの取り付けに使用し、取り付けが完了したときに押し込むことができる。
【００６８】
本出願はまた、車両の車両ホイールの緊急時の運転を可能にする装置を提供し、この装置は、車両側の車両の車両ホイールに取り付けられるように構成された第１の支持要素と、車両の外側を向く側で車両ホイールに取り付けられるように構成された第２の支持要素とを具備することを特徴とし、支持要素は、車両ホイールの所望の取り付け位置で、タイヤの走行面が半径方向外向きに付勢されるような方法で、車両ホイールのタイヤの側面に圧力をかけるように構成される。したがって、支持要素は、空気圧が不十分であるにもかかわらず、車両ホイールのトレッドボディを形成し、十分な走行面を提供できるように、タイヤを側面で支持する。
【００６９】
好都合なことに、そのような装置では、第１の支持要素及び第２の支持要素はそれぞれ、車両ホイールのリムにこの支持要素を固定するためのクランプアームを有し、クランプアームは、リムウェルからタイヤのビードを持ち上げるように、タイヤのタイヤビードとリムのリムウェルとの間に係合するよう構成され、所望の取り付け位置に配置される。したがって、タイヤは、タイヤ内の空気圧が不十分であっても、トレッドボディとして非常に効率的に使用される。
【００７０】
好都合なことに、上述の装置は、固定機構により車両ホイールへこの装置を固定するときに、第１の支持要素及び第２の支持要素を、リムと接触するまでリムに向かって移動するような方法で、リムにクランプすることができるように構成された固定機構を具備する。そのために、この装置は、上述のアタッチメントの固定装置に相当する固定機構を具備することができる。
【００７１】
本出願はまた、欠陥のある車両ホイールの代わりにホイールハブのボルトサークルに固定することができ、軸方向に見たときに円形又はほぼ環状の形状のベースボディを有する緊急ホイールを提供し、この緊急ホイールは、ベースボディが少なくとも２つの円周セグメントを具備することを特徴としてる。
【００７２】
好都合なことに、円周セグメントは取り外し可能に互いに接続される。この取り外し可能な接続は、折り畳み機構又は嵌合構造を介して実現することができる。
【００７３】
折り畳み機構は、取り外し不可能にすることもできる。
【００７４】
円周セグメントの取り外し可能な接続のための嵌合構造は、セグメントの１つにダブテール形状の延長部と、さらに、セグメントに対応する凹部とを具備することができ、ダブテール形状の延長部がこのセグメントの対応する凹部に挿入され、２つの円周セグメントは、例えば、円周セグメント同士を確実に接続するために互いにねじ止めされる。
【００７５】
本発明のさらなる特徴、適用可能な用途および利点は、以下の、図面を参照して説明する本発明の例示的な実施形態の記載から明らかとなり、本発明の特徴は、さらに明示的な言及がなくても、単独および異なる組み合わせの両方で本発明の基本となるものである。
【図面の簡単な説明】
【００７６】
【図１】本発明によるアタッチメントの第１の実施形態を示す。
【図２】固定手段を概略的に示す。
【図３】アタッチメントの代替的実施形態の円周セグメントを示す。
【図４】アタッチメントの代替的実施形態を示す。
【図５】代替的アタッチメントの取り付けプロセスを示す。
【図６】代替的アタッチメントのさらなる取り付けプロセスを示す。
【図７】アタッチメントの代替的実施形態を示す。
【図８】代替的固定手段を概略的に示す。
【図９】代替的固定手段を示す。
【図１０】連結機構を示す。
【図１１】アタッチメントの代替的実施形態を示す。
【図１２】アタッチメントの代替的実施形態を示す。
【図１３】アタッチメントの代替的実施形態を示す。
【図１４】アタッチメントの代替的実施形態を示す。
【図１５】アタッチメントの代替的実施形態を示す。
【図１６】アタッチメントの代替的実施形態を示す。
【図１７】アタッチメントの代替的実施形態を示す。
【図１８】アタッチメントの代替的実施形態を示す。
【図１９】アタッチメントの代替的実施形態を示す。
【図２０】アタッチメントの代替的実施形態を示す。
【図２１】アタッチメントの代替的実施形態を示す。
【図２２】アタッチメントの代替的実施形態を示す。
【図２３】車両ホイールの緊急時の運転を可能にする装置を示す。
【図２４】緊急用ホイールを示す。
【図２５】アタッチメントの代替的実施形態を示す。
【図２６】アタッチメントの代替的実施形態を示す。
【００７７】
以下の図では、対応するコンポーネントと要素には同じ参照番号が付いている。明確にするために、すべての図においてすべての参照番号を同じ番号で使用するわけではない。
【００７８】
図１は、パンクしたタイヤ１４での運転操作を可能にするために、図１には示されていない車両ホイール１２のアタッチメント１０を概略図で示している。
【００７９】
アタッチメント１０は、トレッドボディ１８、ベースボディ２０、位置決め装置２２及び固定装置２４を具備する。
【００８０】
トレッドボディ１８は、アタッチメント１０が車両ホイール１２に固定されたときに、アタッチメント１０を道路と接触させる役割を果たす。
【００８１】
位置決め装置２２は、アタッチメント１０を車両ホイール１２のリム２６に位置決めする役割を果たす。
【００８２】
固定装置２４は、アタッチメント１０を車両ホイール１２のリム２６に固定するのに役立ち、固定装置２４は、位置決め装置２２とは独立して作動させることができる。
【００８３】
図１による実施形態では、位置決め装置２２は、少なくとも２つの接触要素３２を具備する。接触要素３２は、円周方向３０でベースボディ２０上に均一に配分されることが好ましい。
【００８４】
図１に示すように、標準化されたリムフランジの直径に適合する複数の特定の固定位置ＦＰ１、ＦＰ２、及びＦＰ３で、接触要素３２を半径方向３４に固定できると好都合である。したがって、アタッチメント１０は、位置決め装置２２又はその接触要素３２を介して、標準化されたリムフランジ直径を備えた対応するリム２６の中央に配置することができる。
【００８５】
位置決め装置２２は、例えば、旋回可能なバネ付勢爪タイプ接触要素３２（例えば、図１２から図１８を参照）を有することができ、それを介して、特に、リムフランジ１３、車両ホイール１２の領域において、アタッチメント１０をある程度リム２６に留めることができる。しかしながら、全体として接触要素３２又は位置決め装置２２の他の形態も同様に考えられる。位置決め装置２２は自動的に中心に寄せられるように構成され、これは、アタッチメント１０が車両ホイール１２の中心に位置決めされていなくても、位置決め装置２２が車両ホイール１２の中心位置にアタッチメント１０を移動させることを意味する。これは、例えば、接触要素３２をばね付勢することにより達成することができる。
【００８６】
位置決め装置２２の接触要素３２は、固定装置２４の固定手段３８の中又は上に配置することもできる。
【００８７】
本発明の技術的範囲内の固定装置２４は、位置決め装置２２とは独立して作動させることができる。作動とは、アタッチメント１０が固定装置を介して車両ホイール１２にしっかりと接続されるよう固定装置２４が動くことを意味する。そのために、固定装置２４は、例えば、爪タイプ又はチャックタイプの固定手段３８を具備することができる。固定手段３８は、一般に、リム２６の背後、特にリムフランジ１３の領域で係合するように構成される。
【００８８】
固定装置２４の作動時に、固定手段３８は、リムフランジ１３の背後に係合し、アタッチメント１０をリム２６にクランプする。これは、例えば、固定手段３８を半径方向３４に変位させることにより、又は旋回させることにより達成することができる。
【００８９】
固定装置２４の作動は、対応するツールを介して可能であり、又はツールなしでも可能である。例えば、固定手段３８は、六角形のソケットにより可動とするように構成することができる。固定手段３８を可動にするハンドルも考えられる。この運動には、並進運動又は旋回運動を含むことができる。
【００９０】
そのような爪タイプ固定手段３８は、例えば、図２に、線ＩＩ−ＩＩに沿った異なる位置の断面を示す図に概略的に示されている。図２は、固定手段３８の形態を示し、固定手段３８は、半径方向３４及び軸方向４８の両方に変位可能である。
【００９１】
固定装置２４は、圧力測定装置４０を具備することができる。このような圧力測定装置４０は、１つ以上の固定手段３８に配置されることが好ましい。このような圧力測定装置４０は、固定装置２４のリム２６又はリムフランジ１３へのクランプを検出するように構成される。すなわち、例えば、固定手段３８がリムフランジ１３を押す力であり、又はリムフランジ１３と接触する力である。
【００９２】
好ましい実施形態では、アタッチメント１０は、リム２６へのアタッチメント１０のクランプが安全な運転操作のために十分であるときに信号を送信するように構成された信号装置４４を具備する。すなわち、アタッチメント１０がリム２６に十分にしっかりと固定されているときである。好都合なことに、信号装置４４は、この目的のために圧力測定装置４０と連結されている。信号装置４４は、視覚信号、音響信号、又は触覚信号を送信するように構成することができる。
【００９３】
固定手段３８は、ベースボディ２０の対応する開口部を通ってリム２６の対応するねじ受けに噛み合わせることができる、ねじの形式とすることもできる。そのような実施形態は、図１９から図２２に示される。
【００９４】
しかしながら、固定手段３８がリム２６のリムフランジ１３の背後に係合するように構成されることが好ましい。
【００９５】
ベースボディ２０は、軸方向４８に見た場合、円形又はほぼ環状の形状である（例えば、図１を参照）。これは、例えば図１に示されるように、組み立てられた状態のベースボディ２０は、運転中に車両ホイール１２に取り付けられているが、上述の形状を有することを意味する。
【００９６】
固定装置２４の作動時のアタッチメント１０の車両ホイール１２への固定は、固定装置２４の作動時に、アタッチメント１０がリム２６に向かって軸方向４８に移動するように行われることが好ましい。したがって、アタッチメント１０は、固定装置２４の作動時に、ある程度リム２６に押し付けられる。好都合なことに、固定装置２４を介した固定は、半径方向へのクランプだけでなく、アタッチメント１０のリム２６に向かって軸方向の変位も伴う。したがって、アタッチメント１０は、軸方向４８に見たときに、リム２６にある程度押し付けられる。アタッチメント１０の固定のこの任意的な有益な態様については、以下で詳細に説明する。
【００９７】
好都合なことに、アタッチメント１０の表面は、リム２６と接触する領域に、例えばゴムコーティングによって実施される弾力性のある表面を有する。
【００９８】
アタッチメント１０を車両ホイール１２に取り付けるために、アタッチメント１０は、まず、位置決め装置２２を介して所望の位置で車両ホイール１２に位置決めされる。図１に示されるアタッチメント１０の例では、この位置決めは、例えば、対応する位置ＦＰ２にロックすることにより、車両ホイール１２の適切なリム直径に予め調整された接触要素３２を介して行われる。本例では、アタッチメント１０は、いわば、接触要素３２を介してリム２６にクリップされる。接触要素３２は、その目的のために、旋回可能でばね付勢する方法で取り付けられている。アタッチメント１０をリム２６上に配置すると、アタッチメント１０は、いわば、リム２６上に置かれるか、リム２６上に保持され、リム２６に押し付けられ、接触要素３２は、ばね付勢に抗して広がり、リムフランジ１３の背後にはめ込まれる。その結果、アタッチメント１０は、リム２６の中心に配置される。しかし、アタッチメント１０のこの位置決めによって、運転操作のために十分な保持が行われるわけではない。
【００９９】
位置決め装置２２による車両ホイール１２上へのアタッチメント１０の位置決めに続いて、アタッチメント１０は、固定装置２４を介して車両ホイール１２に固定される。そのために、固定装置２４を作動させる。図１に示す例では、固定手段３８は、リムフランジ１３に向かって変位し、その背後で係合する。次に、固定手段３８は、リムフランジ１３に対してクランプされ、その結果、アタッチメント１０は、リムフランジ１３又はリムにしっかりと固定される。
【０１００】
言い換えると、位置決め装置２２を介した位置決めは、確実に運転操作を行うのに十分ではなく、単にアタッチメント１０を車両ホイール１２に正しく配置するのに役立つのみである。
【０１０１】
アタッチメント１０が位置決め装置２２を介して所望の位置で車両ホイール１２に位置決めされると、次に、アタッチメント１０は固定装置２４を介して車両ホイール１２にしっかりと結合され、好ましくはクランプされる。
【０１０２】
好都合なことに、位置決め装置２２は、アタッチメント１０が最終的に車両ホイール１２に固定されている場合でも、車両ホイール１２のリム２６にクランプされないままである。
【０１０３】
好都合なことに、アタッチメント１０のベースボディ２０は、複数の円周セグメント５０で構成される。図１の例では、２つの円周セグメント５０が、折り畳み機構を形成するヒンジ５４を介して互いに接続される。ヒンジ５４は、取り外し可能又は取り外し不可能とすることができる。
【０１０４】
ヒンジ５４の代わりに、又はヒンジ５４に加えて、円周セグメント５０を結合するための嵌合構造５８を設けることもできる。
【０１０５】
そのような嵌合構造５８を介してさらに類似の円周セグメント５０に結合できる円周セグメント５０が、例えば図３に示されている。嵌合構造５８は、対応する凹部６２に挿入可能なダブテール形状の延長部６０を具備する。
【０１０６】
接続ねじは、ねじ穴６４を介してダブテール形状の延長部６０に挿入され、凹部６２の領域のねじ受け６６にねじ込むことができる。次いで、嵌合構造５８を介して互いに結合された円周セグメントが互いにしっかりと結合される。
【０１０７】
図３に示されている円周セグメント５０では、リム側部分７０と、リムの外側を向く部分７２とを備えていることが明確に分かる。２つの部分７０、７２は、互いに取り外し可能であり、ねじ結合７４により互いにしっかりと結合することができる。
【０１０８】
２つの部分７０、７２が互いに分離されると、トレッドボディ１８を、２つの部分７０、７２の間の対応するチャネル７６に挿入することができる。２つの部分７０、７２がねじ結合７４を介して互いにしっかりと結合されると、トレッドボディ１８は、嵌合により、損失のない方法でチャネル７６に保持される。チャネル７６は、受け入れ部の一例である。
【０１０９】
図３に示されている円周セグメント５０では、示されている固定手段３８は、保持ラグ７８に変位可能に取り付けられている。
【０１１０】
図４に示されるアタッチメント１０は、図１のアタッチメントと構造が類似している。しかしながら、図４のアタッチメントはロック装置８０を有し、それを介して、ロック装置８０が解放されるまで折り畳むことができないように、円周セグメント５０を折り畳み状態で一緒にロックすることができる。
【０１１１】
図５は、車両ホイール１２を自動車から取り外すことなく、どのようにアタッチメント１０を車両ホイール１２に取り付けるかを示す実施形態を示している。
【０１１２】
まず、アタッチメント１０は、位置決め装置２２を介して車両ホイール１２上に位置決めされる。図５の対応する参照番号を有する円周セグメント５０は、折り畳まれた状態のままである。
【０１１３】
次いで、アタッチメント１０は、固定装置２４を介して車両ホイール１２にしっかりと固定される。
【０１１４】
位置決め装置２２を介した位置決め及び固定装置２４を介した固定が上述のように行われる。
【０１１５】
アタッチメント１０を固定した後、車両のホイールは９０°前方に動く。
【０１１６】
次に、折り畳まれた円周セグメント５０は、開かれ、ロック装置８０を介してロックされる。
【０１１７】
最初に折り畳まれていた周方向セグメント５０に配置された固定装置２４の部品も同様にクランプされ又は作動させられる。
【０１１８】
次いで、アタッチメント１０の固定が完了し、運転操作を再開することができる。
【０１１９】
図６はさらなる実施形態における取り付けを示し、図６に示す実施形態では、円周セグメント５０の１つは可変長の取り付け補助具８４を有する。取り付け補助具８４を介して、車両ホイールに最初に固定された円周セグメント５０をクランプすることができる。
【０１２０】
図７は、可動固定手段３８を連結する連結機構９０を備えたアタッチメント１０の実施形態を示している。
【０１２１】
固定装置２４が作動したとき、少なくとも２つの可動固定手段３８、好ましくはすべての可動固定手段３８の動きを連結する連結機構９０を固定装置２４が備えることが好ましい。
【０１２２】
動きを連結することで、半径方向３４及び／又は軸方向４８の動きを連結することができる。
【０１２３】
連結機構９０は、連結された可動固定手段３８の動きが均一になるように、すなわち、同じ速度で、同じ方向に動くように構成されることが好ましい。
【０１２４】
図７に示される連結機構９０の実施形態では、ハンドル９４を有するクランプリング９２を具備する。クランプリング９２は、円周方向に回転可能に構成される。
【０１２５】
クランプリング９２は、回転させることにより、図７に示すように、対応する固定ラグ９７に配置されたねじ山９６に沿って軸方向４８に移動可能になる。クランプリング９２は、クランプ要素１０６の可能な実施形態である。図８に示すように、半径方向に動くことができるスライダー９８を介して同様の機構を実装することができる。
【０１２６】
図７のクランプリング９２がリム２６に向かって移動する場合、固定手段３８は、例えば、リム２６に向かって軸方向に移動する際に固定手段３８の傾斜面１００と接触することができるように構成及び配置することができ、これにより、固定手段３８は、半径方向内側に旋回可能及び／又は変位可能とすることができる。同様の機能は、スライダー９８を介して可能となる。
【０１２７】
したがって、図７のそのようなクランプリング９２を円周方向３０に回転させることにより、固定装置２４を作動させることができる。この作動中、固定装置２４の固定手段３８は、例えば半径方向内側に旋回することにより、リム２６に同時にかつ均一にクランプされる。そのためには、固定手段３８は、リンク１０４を介してアタッチメント１０に旋回可能に取り付けられることが好ましい。
【０１２８】
連結機構９０が、少なくとも２つの固定手段３８を互いに結合するか、それにより少なくとも２つの固定手段３８を互いに結合することができるクランプ要素１０６を具備することが好ましく、クランプ要素１０６は半径方向３４に短くできるように構成される。対応する実施形態が図９に示されている。
【０１２９】
例えば、そのようなクランプ要素１０６は、棒状の形態とすることができる。また、十字のような形も考えられる（図１０）。その２つの端部１１０により、クランプ要素１０６は、固定装置２４の２つの対向する固定手段３８に結合、例えば係合させることができる（図９を参照）。
【０１３０】
棒状クランプ要素は、例えば、対向するねじ山１１４、１１６を備えた中間部１１２を有することができる。固定手段３８に固定することができる端部１１０は、対向するねじ山１１４、１１６にねじ込むことができる。中間部分１１２を回転させて、端部１１０は中間部分１１２にねじ込んだり中間部分から外したりすることで、棒状クランプ要素１０６を延長又は短縮する。
【０１３１】
固定手段３８は、クランプ要素１０６の短縮によりお互いの方向に動くことができ、それにより、固定装置２４の作動、又はリム２６への固定手段３８のクランプを行うことができる。
【０１３２】
代替的に、締付手段３８は、クランプ要素１０６を長くすることにより半径方向内側に旋回可能であり、それによりクランプ装置２４の作動、又はリム２６への固定手段３８のクランプも同様に達成できる。
【０１３３】
固定装置２４は、図１１に示されるように、圧力媒体を介して作動可能とすることもできる。
【０１３４】
位置決め装置２２も圧力媒体を介して作動可能とすることが好ましい。そのような実施形態では、位置決め装置２２及び固定装置２４は、それぞれ圧力媒体貯蔵部１１８に接続することができることが好ましい。対応する圧力媒体ライン１２０をアタッチメント１０自体又はその外側に配置することができる。
【０１３５】
固定手段及び接触要素は、ばね１９２で付勢することができる。
【０１３６】
位置決め装置２２及び固定装置２４は、逆止弁の形態のリリーフ弁１２４と、逆止弁の形態の入口弁１２８とを有することができる。
【０１３７】
図５の実施形態と同様のアタッチメント１０が、図１２から図１８の異なる視点からの図に示されている。
【０１３８】
図１２から図１４では、アタッチメントは折り畳まれた状態で示されているが、図１５から図１８では、広げたた状態で示されています。図１３及び図１７では、アタッチメント１０はそれぞれ、車両ホイール１２に取り付けられた状態で示されている。
【０１３９】
しかしながら、固定手段３８は、ベースボディ２０の対応する開口部１３０を通してリム２６の対応するねじ受け１３２に噛み合わせることができるような、ねじの形態とすることもできる（図１９から図２２による実施形態を参照）。この場合、ねじのねじ込みは、固定装置３８の動作の一部となる。
【０１４０】
固定装置２４は、複数の取り外し可能な固定手段３８を具備することができる。これは、標準化されたリムフランジ直径に対応する複数の半径方向にずれた位置に取り付けることができる。固定手段３８は、半径方向に移動可能に取り付けられることが好ましい。
【０１４１】
図２３は、車両ホイール１２の緊急運転を可能にする装置２００を示す。装置２００は、車両側の車両ホイール１２に取り付けられるように構成された第１の支持要素２１０と、車両の反対側を向く外側２３０で車両ホイール１２に取り付けられるように構成された第２の支持要素２２０とを具備する。支持要素２１０、２２０は、車両ホイール１２上の所望の取り付け位置（図２３ｂを参照）で、タイヤ１４の走行面２４０が半径方向外向きに付勢されるようにして、車両ホイール１２のタイヤ１４の側壁に横方向に圧力をかけるように構成される。
【０１４２】
第１の支持要素２１０及び第２の支持要素２２０はそれぞれ、支持要素２１０、２２０を車両ホイール１２のリム２６に固定するためのクランプアーム２１２、２２２を有する。クランプアーム２１２、２２２は、タイヤビード２５０をリムウェル２６０から持ち上げるように、タイヤ１４のタイヤビード２５０とリム２６のリムウェル２６０との間に嵌る所望の位置に来るよう、構成され配置される。
【０１４３】
装置２００は、装置２００を車両ホイール１２に固定する際に、第１の支持要素２１０及び第２の支持要素２２０を、リム２６に接触するまでリム２６に向かって動かすことにより、リム２６への固定機構２８０によってクランプすることができるように構成された固定機構２８０を具備する。
【０１４４】
図２４は、欠陥のある車両ホイール１２の代わりにホイールハブのボルトサークルに固定することができ、軸方向４８に見たときに円形又はほぼ環状の形状であるベースボディ３２０を有する緊急ホイール３００を示し、ここで、ベースボディ３２０は、２つの円周セグメント３５０を含む。より多くの円周セグメント３５０への細分化することも考えることができる。
【０１４５】
エマージェンシーホイール３２０は、周方向セグメント３５０が、取り外し可能な折り畳み機構５４を介して周方向３４に互いに固定されるような形態となる。さらに、又は代替的に、好ましくは一方にダブテール形状の延長部を有し、セグメント５０にさらに対応する凹部を有する、嵌合構造を介した固定も、図３のアタッチメントと同様に、可能である。
【０１４６】
図２５及び図２６は、アタッチメント１０の代替的実施形態を示す。各形態でのアタッチメント１０は、２つの円周セグメント５０を具備するベースボディ２０を具備する。アタッチメント１０は、ボルトサークルの領域に配置された、リム２６中の好ましくは円形の開口部と把持装置３１２との嵌合により係合させることで車両ホイール１２に配置させるため、把持装置３１２の形態となっている位置決め装置２２を具備し、ここで、開口部は、ホイールボルト又はスタッドボルトを受け入れるための、リム２６に設けられた穴とは離間させて、リム２６に配置され、さらに、この開口部は、リム２６の中央の開口部となるか、又はリムの回転軸から離間することが好ましい。特に、ボルトサークルの領域にある開口部が、車軸の位置合わせに使用されるいわゆるポリコントロールボアとすれば好都合である。
【０１４７】
把持装置３１２はまた、上述の開口部、特にポリコントロールボアにおいて摩擦に基づく係合により、車両ホイール１２上にアタッチメント１０を位置決めするように構成することができる。
【０１４８】
アタッチメント１０は、最初の取り付け部分３１４をさらに具備する。
【０１４９】
図２５及び図２６のアタッチメント１０は、アタッチメント１０の２つの円周セグメント５０を具備する２つの円周セグメント５０を具備するトレッド部３２６をアタッチメント１０が有するように構成され、アタッチメント１０は、最初の取り付け部分３１４を具備し、トレッド部３２６の少なくとも一部は、最初の取り付け部分３１４とは別個に構成され、着脱可能に結合可能であるか、又は移動可能に構成され、最初の取り付け部分３１４は、アタッチメント１０を車両に固定するとき、走行面の半径方向内側に配置される。
【０１５０】
最初の取り付け部分３１４及びトレッド部３２６が、すなわちアタッチメント１０の走行面を具備するアタッチメント１０の部品が、互いに完全に分離可能に構成されるように、アタッチメント１０が構成されることが好ましい。トレッド部３２６は、互いに分離可能であり、円形の走行面を形成するように組み立てることができる、２つの正確な円周セグメント５０を具備することが好ましい。
【０１５１】
好ましくは、把持装置３１２の部品は、いずれの場合でも、アタッチメント１０に、好ましくは最初の取り付け部分３１４に取り外しできないように結合される。したがって、アタッチメント１０又は最初の取り付け部分３１４は、特に簡単に車両ホイール１２に固定できる。アタッチメント１０、又は対応するように構成されたアタッチメント１０の最初の取り付け部分３１４は、言わば、これらの開口部に挿入することができる。
【０１５２】
固定装置２４の固定手段３８は、アタッチメント１０にねじ止めされるプレハブ部品３１６の形態であることが好ましい。これは、図２５及び図２６のアタッチメント１０と共に使うの場合である。
【０１５３】
固定手段３８は、ケーシング３１８を具備することが好ましい。これは、図２５ｂ）の分解図で明確に見ることができる。
【０１５４】
固定装置２４は、ロック機構３２０も具備することが好ましい。
【０１５５】
アタッチメントは、リムフランジ１３の背後に係合しているときに、固定手段３８を、特に固定手段３８の旋回可能に取り付けられたフック要素３２２をロックするように構成及び配置されたロック機構３２０を具備することが好ましく、ロック機構３２０は、付勢された、特にばね付勢されたキャッチ要素３２４を具備することが好ましい。ロック機構３２０が固定手段３８をロックするとき、キャッチ要素３２４がロックするようにフック要素３２２に係合するか、又はフック要素３２２がロックするようにキャッチ要素３２４に係合するのが好ましい。したがって、アタッチメント１０のリム１２への固定は特に堅固である。特に、キャッチ要素３２４は、特にばねを介して付勢されるボルトの形態とすることができ、旋回可能に取り付けられたフック要素３２２は、例えば、フック要素３２２がリム１２との係合位置まで旋回してきたとき、ばねで付勢されたボルトがフック要素と係合しフック要素をロックする凹部を有することができる。そのために、キャッチ要素３２４がこの凹部に入ることができるように、係合位置において、キャッチ要素３２４上で旋回するように凹部が配置されることが好都合である。
【０１５６】
ロック機構３２０もケーシング３１８内に配置されることが好ましい。したがって、ロック機構３２０及び固定手段３８は、いずれの場合でも、部分的に、これらのコンポーネントのハウジングのタイプを形成するケーシング３１８内に配置することができる。ケーシング３１８又はハウジングを、その中に配置されたコンポーネントとともに個々に組み立てることができ、その後、完成した事前に組み立てたユニットを、プレハブ部品３１６としてアタッチメント１０に取り付け可能とするか、又は取り付けることが好ましい。
【図１】
2020507510.tif 000003
【図２】
2020507510.tif 000004
【図３】
2020507510.tif 000005
【図４】
2020507510.tif 000006
【図５】
2020507510.tif 000007
【図６】
2020507510.tif 000008
【図７】
2020507510.tif 000009
【図８】
2020507510.tif 000010
【図９】
2020507510.tif 000011
【図１０】
2020507510.tif 000012
【図１１】
2020507510.tif 000013
【図１２】
2020507510.tif 000014
【図１３】
2020507510.tif 000015
【図１４】
2020507510.tif 000016
【図１５】
2020507510.tif 000017
【図１６】
2020507510.tif 000018
【図１７】
2020507510.tif 000019
【図１８】
2020507510.tif 000020
【図１９】
2020507510.tif 000021
【図２０】
2020507510.tif 000022
【図２１】
2020507510.tif 000023
【図２２】
2020507510.tif 000024
【図２３】
2020507510.tif 000025
【図２４】
2020507510.tif 000026
【図２５】
2020507510.tif 000027
【図２６】
2020507510.tif 000028
【国際調査報告】
2020507510.tif 000029
2020507510.tif 000030
2020507510.tif 000031
2020507510.tif 000032
2020507510.tif 000033
2020507510.tif 000034
2020507510.tif 000035